(57)【要約】【課題】本発明の課題は、円周壁と、球冠状底面などの底面とを有する容器を、ピット、空洞などの空間から、１つまたは複数のセグメントへと容器を解体してクレーンなどの昇降装置を用いて空間から取り出すことによって取り出す方法をさらに改良して、設計的に簡単な方策によって容器をピットから取り出すことができ、その際に、たとえば昇降装置に関わる方策を実施しなくてすむようにすることである。【解決手段】本発明は、円周壁（１８）と底面（１６）とを有する容器（１０）を空間（１２）から、１つまたは複数のセグメント（Ａ，Ｂ，Ｃ）へと容器を解体して昇降装置を用いて空間から取り出すことによって取り出す方法に関し、容器は円周壁から突出する保持部材（２０，２２，２４，２６，２８，３０，３２，３４）によって空間内で懸架式に位置決めされている。容器（１０）のセグメント化が、懸架式に位置決めされたまま下支えなしに行われる。【選択図】なし【特許請求の範囲】
【請求項１】
円周壁（１８）と、球冠状底面などの底面（１６）とを有する容器（１０）をピットなどの空間（１２）から、１つまたは複数のセグメント（Ａ，Ｂ，Ｃ）へと前記容器を解体してクレーンなどの昇降装置を用いて前記空間から取り出すことによって取り出す方法であって、前記容器は円周壁から突出する支持ブラケットなどの保持部材（２０，２２，２４，２６，２８，３０，３２，３４）によって前記空間内で懸架式に位置決めされている、方法において、
前記容器（１０）が懸架式に位置決めされたまま下支えなしにセグメント化されることを特徴とする方法。
【請求項２】
前記容器（１０）が前記容器の長軸方向に延びる分離切断線によってセグメント化されることを特徴とする、請求項１に記載の方法。
【請求項３】
取り出されるべき少なくとも１つのセグメント（Ａ，Ｂ，Ｃ）は、前記容器（１０）の上側縁部（４２）から好ましくは底面領域まで延びる第１の分離切断線と、それぞれの前記第１の分離切断線を底面の上方でつなげる第２の分離切断線とによって区切られることを特徴とする、請求項１または２に記載の方法。
【請求項４】
橋形クレーンなどの前記昇降装置はトンを単位とする支持能力ｘを有し、前記容器（１０）はトンを単位としｙ＞ｘであるｙの質量を有し、前記容器が円周でセグメント化され、１つまたは複数のセグメント（Ａ，Ｂ，Ｃ）の取出し後に残る残存容器はｘ≧ｙ１である質量ｙ１を有することを特徴とする、請求項１から３のうち少なくとも１項に記載の方法。
【請求項５】
１つまたは複数のセグメント（Ａ，Ｂ，Ｃ）の取出し後に残る残存容器は、底面（１６）と、これを起点とする少なくとも２つの帯状の外套区域（３６，３８，４０）とからなり、これらの帯状の外套区域がそれぞれ保持部材（２２，２８，３４）を有しており、この保持部材を介して前記容器（１０）が引き続き懸架式にピット（１２）の中で位置決めされることを特徴とする、請求項１から４のうち少なくとも１項に記載の方法。
【請求項６】
前記残存容器が一体としてピット（１２）から取り出されることを特徴とする、請求項５に記載の方法。
【請求項７】
互いに等間隔に延びる３つの保持部材（２２，２８，３４）を介して前記残存容器が懸架式に位置決めされるように前記容器（１０）がセグメント化されることを特徴とする、請求項５または６のいずれか１項に記載の方法。
【請求項８】
加圧水型原子炉などの原子炉（１４）を撤去する方法において、前記原子炉の中にある原子炉加圧容器（１０）が請求項１から７のうち少なくとも１項に基づいてセグメント化されて、後解体領域（１５）または輸送用もしくは最終処分用のコンテナに送られる方法。
【発明の詳細な説明】
【技術分野】
【０００１】
本発明は、円周壁と、球冠状底面などの底面とを有する容器を、ピット、空洞などの空間から、１つまたは複数のセグメントへと容器を解体してクレーンなどの昇降装置を用いて空間から取り出すことによって取り出す方法に関するものであり、容器は円周壁から突出する支持ブラケットなどの保持部材によって空間内で懸架式に位置決めされている。
【背景技術】
【０００２】
原子力発電所の操業停止とこれに続く撤去との関連で、動産を解体することが必要となる。これには、たとえば加圧水型原子炉においては原子炉ピットの中で懸架式に位置決めされている場合がある原子炉圧力容器も含まれる。そのために容器外套の円周面から保持部材、いわゆる保持ブラケットが出ていて、これがピット縁部、環状支持体、支持装置などの空間の縁部に載置されて、場合によりそこで定着される。
【０００３】
このような容器を解体するには、これを空間−以下においてピットと呼ぶ−から引き出さなければならない。そのために種々の方式を適用することができる。たとえば、容器を一体としてピットから引き出すという選択肢がある。しかし容器の質量が、原子炉内にある、使用される橋形クレーンなどのクレーンの支持能力よりも通常は大きいので、容器を持ち上げて、たとえば後解体領域まで運ぶために、高いコストのかかる増強措置が必要である。
【０００４】
容器をセグメント化し、すなわち、それぞれの環状の区域に分解するという選択肢もある。それにより、一番上または上側の外套環状区域の取出し後に容器の懸架が失われることになり、その帰結として、これを底面側で支えなければならなくなる。このことは著しい設計上の方策を必要とし、それは特に、底面領域に開口部が構造上存在しておらず、あるいは方策の実施を困難にする限られたアクセス部しか存在しておらず、そのために、たとえば既存のコンクリート壁を突き破らなくてはならないような場合である。
【発明の概要】
【発明が解決しようとする課題】
【０００５】
本発明の課題は、冒頭に述べた種類の方法をさらに改良して、設計的に簡単な方策によって容器をピットから取り出すことができ、その際に、たとえば昇降装置に関わる方策を実施しなくてすむようにすることである。
【課題を解決するための手段】
【０００６】
この課題を解決するために、基本的に、容器が懸架式に位置決めされたまま下支えなしにセグメント化されることが提案される。
【０００７】
従来技術とは異なり、容器の懸架が取り除かれることなく、容器の各区域すなわち各セグメントが特に円周で全面的に切り出される。さらに、円周でセグメント化が行われるので、残存容器の残りの質量が橋形クレーンなどの昇降装置の支持能力に等しいか、またはこれよりも小さくなり、その結果として生じる、セグメント化の後にまだ存在する支持ブラケットの負荷も、支持ブラケットの許容される負荷に等しいか、またはこれよりも小さくなる。
【０００８】
そのために、特に、容器の長手方向に延びる分離切断線によって容器がセグメント化されることが意図される。したがって、容器の長手方向に延びている外套区域が切り離され、特に、取り出されるべきセグメントが、容器の上側縁部からたとえば円周壁の中央領域まで、または好ましくは底面領域まで延びる第１の分離切断線と、それぞれの第１の分離切断線を底面の上方でつなげる第２の分離切断線とによって区切られることが意図される。底面の上方とは、原則として、第２の分離切断線が円周壁の領域だけでなく、底面のすぐ上方にも延びていることを意味する。
【０００９】
特に容器の高さ全体にわたって延び、昇降装置によって問題なく持ち上げてから特に後解体領域または輸送用もしくは最終処分用のコンテナへ運ぶことができる外套セグメントが切り離される。
【００１０】
１つまたは複数のセグメントの取出し後に残る残存容器は、底面と、これを起点とする少なくとも２つの帯状の外套区域からなることが意図されるのが好ましく、これらの帯状の外套区域はそれぞれ保持部材を有しており、この保持部材を介して容器が引き続き懸架式にピットの中で位置決めされる。特にセグメント化は、互いに等間隔に延びる少なくとも２つの、理想的には３つの保持部材を介して、残存容器が懸架式に位置決めされるように行われるのがよい。
【００１１】
各セグメントの取出し後に、底面と、保持部材を有する帯状の外套区域とからなる残存容器が一体としてピットから引き出される。
【００１２】
本発明は、さらに加圧水型原子炉などの原子炉を撤去する方法に関し、原子炉の中にある原子炉圧力容器が、上に説明した１つまたは複数の構成要件に準じてセグメント化され、原子炉ピットから取り出され、後解体領域または輸送用もしくは最終処分用のコンテナに送られる。
【００１３】
本発明のその他の具体的事項、利点、および構成要件は、特許請求の範囲、およびそこから読み取ることができる構成要件−単独で、および／または組み合わせとして−だけでなく、図面から読み取ることができる好ましい実施例についての以下の説明からも明らかとなる。
【図面の簡単な説明】
【００１４】
【図１】加圧水型原子炉を示す断面図である。
【図２】セグメント化された原子炉圧力容器を示す原理図である。
【図３】部分的にセグメント化された容器を含む原子炉を示す部分図である。
【図４】容器のセグメント化の進捗状況である。
【図５】容器のセグメント化の進捗状況である。
【図６】後解体領域に送られるべき残存容器を含む原子炉を示す別の部分図である。
【図７】後解体領域に送られるべき残存容器を含む原子炉を示す別の部分図である。
【発明を実施するための形態】
【００１５】
基本的に同じ部材には同じ符号が付されている図面を参照しながら、本発明による方法について説明する。この方法によって原子炉圧力容器１０を、本実施例では後解体領域１５である原子炉内部の領域へと運ぶために、以下においてピット１２と呼ぶ、加圧水型原子炉などの原子炉の収納部または空間から取り出し、すなわち上方に向かって引き出すことが意図される。容器１０は、底面１６と、外套を形成する円周壁１８とを有しており、蓋２１によって閉じられており、この蓋がまず最初に取り出されて運び出されてから、本発明に準じて容器１０のセグメント化が行われる。
【００１６】
容器１０そのものはピット１２の中で懸架式に位置決めされている。そのために、容器外套１８の上側の縁部領域から保持部材２０，２２，２４，２６，２８，３０，３２，３４が出ていて、これらは保持ブラケットとも呼ぶことができ、これらがピット１２の縁部に載置され、またはピット１２の上側縁部４２を取り囲む支持装置などに載置される。それにより、原則としてそれ以外の支持を要することなく、ピット１２の内部で容器１０の懸架式の位置決めが行われる。このように、容器１０はピット１２の内壁に対して基本的に間隔をおいて延びている。
【００１７】
図２の分解図が明示しているとおり、保持部材２０，２２，２４，２６，２８，３０，３２，３４は容器１０の円周に等間隔で配置されており、２つの保持部材の間にそれぞれ管接続部が延びている。ただし以上は、加圧水型原子炉または原子炉圧力容器で周知となっている設計上の構成要件である。
【００１８】
容器１０をピット１２から取り出すために、ピット１２に合わせてアライメントされるべきクレーンなどの昇降装置が利用され、そのうち図６には橋形支持体を見ることができる。通常、クレーンは容器１０の質量よりも低い支持能力を有する。それにもかかわらず、クレーンで実施されるべき追加の方策なしに容器１０をピット１２から取り出すために、本発明によるとセグメント化が行われ、容器１０またはセグメント化の後にまだ存在する残存容器の懸架式の位置決めが失われることがない。
【００１９】
換言すると容器１０は、各セグメントの取出し後に残存容器が引き続き懸架式に原子炉ピットの中に残るようにセグメント化され、その後に−後で説明するように−、残存容器を一体としてピット１２から引き出して、−本実施例のように−後解体領域１５へと供給する。
【００２０】
各図面に見て取ることができる実施例では、セグメント化は、容器外套１８から３つのセグメントＡ，Ｂ，Ｃが連続して切り出され、ビット１２から個々に持ち上げられて、後解体領域１５へ送られるように行われる。このときセグメント化は、容器区域３６，３８，４０が底面１６と結合されたまま保たれるように行われ、このとき帯状と呼ぶことができる区域３６，３８，４０から保持部材が出ており、本例では保持部材２２，２８，３４が出ており、これらを介して引き続き懸架式の位置決めが行われる。
【００２１】
本実施例では各セグメントが円周壁１８の高さにわたって底面１６まで延びているが、すなわち底面１６のすぐ上方で終わっているが、第１のセグメントがさしあたり円周壁１８の中央領域まで延びていて、その後に、円周壁の残りの領域が本発明の教示にしたがってセグメント化されるという選択肢も容易に得られる。
【００２２】
セグメントＡ，Ｂ，Ｃを切り離すために、容器外套の上側縁部４２から容器１０の長軸方向に延びる長手方向切断が、たとえば丸鋸や帯鋸などの機械式の分離方法によって、またはたとえば自動ガス切断やプラズマ切断などの熱式の分離方法によって実行され、これらの長手方向切断線が底面側で、すなわち底面１６の上方で、容器１０の長軸に対して垂直もしくは実質的に垂直に延びる第２の切断線を介してつなげられ、それにより、セグメントＡ，Ｂ，Ｃが容器１０の外套１８から順次切り離される。
【００２３】
本実施例の図３の図面の図示によれば、まず、セグメントＢが切り出されて後解体領域１５へ運ばれる。
【００２４】
次いで、図４に準じてセグメントＡが切り出されて後解体領域１５へ送られ、図面の図示から読み取ることができるように、セグメントＢはそれ以前に解体されている。
【００２５】
その次の方法ステップで、図５から明らかなようにセグメントＣが切り出される。
【００２６】
こうしてピット１２の中に残るのは、容器１０の底面１６ならびに保持ブラケットを有する容器壁の帯状もしくはウェブ状の区域３６，３８，４０となり、この保持ブラケットを介して容器１０およびこれに伴ってそれぞれの残存容器もピット１２の中で懸架式に位置決めされている。
【００２７】
引き続き、図６および図７から明らかなとおり、底面１６とウェブ状の区域３６，３８，４０からなる相応の残存容器が一体としてピット１２から持ち上げられて、後解体領域１５へと運ばれる。
【００２８】
本実施例では、３つの外套区域すなわちセグメントＡ，Ｂ，Ｃが切り離され、次いで、残存容器がピット１２から取り出されるようにしてセグメント化が行われるが、当然ながら、これとは相違する個数のセグメントを容器１０から切り出すこともできる。これらのセグメントは容器１０の長手方向で、上側縁部４２から発する長手方向切断線と、底面１６に沿って延びる横方向切断線とによって、容器外套から切り出されるように延びている。この分断は熱式に、たとえば自動ガス切断によって、または機械式に、たとえば鋸によって行うことができる。
【００２９】
第１の区域が円周壁１８の中央領域まで延び、次いで、第２の区域が底面１６まで延び、底面が特にウェブ状の区域３６，３８，４０とともにピット１２から上方に向かって引き出されるようにして、容器１０をセグメント化するという選択肢もある。
【００３０】
底面１６が、保持ブラケットを有する好ましくは３つの帯状またはウェブ状の外套区域と引き続きつながっているのであれば、上記と相違する数を選択することもできる。
【００３１】
保持ブラケットは互いに等間隔に延びているのが好ましい。
【００３２】
２つの保持ブラケットだけを介して、残存容器を位置決めするという選択肢も同様にある。
【００３３】
当然ながら、容器壁から１つのセグメントだけが切り出され、その質量が、残りの残存容器が昇降装置の支持能力に等しいか、またはこれよりも小さい質量を有する程度の大きさであり、この昇降装置によって、当該セグメントおよび残存容器をピット１２から持ち上げて運び出すことができる場合にも、本発明から逸脱することはない。
【００３４】
本発明に基づいてセグメント化が行われ、上側の縁部領域４２を起点として基本的に容器１０の底面領域まで延びる区域が容器１０から切り離される。このとき原則としてセグメント化は、各セグメントの取出し後に残存容器が好ましくは３つの保持部材を介して懸架式に原子炉ピット１２の中に残り、次いで、容器底面１６を含む残存容器を一体としてピット１２から引き出して、たとえば後解体領域１５へと送るようにして行われる。
【００３５】
セグメント化が行われ、すなわち、下支えなしでの懸架式の容器または残存容器の位置決めのもとで、容器１０の高さにわたって延びる容器区域の取出しが行われ、セグメント化の後に残る残存容器は、橋形クレーンなどの昇降装置の支持能力に等しいか、またはこれよりも小さい質量を有している。これを取り出すために容器の下支えが必要なく、昇降装置の追加の増強措置も必要ない。
【符号の説明】
【００３６】
１０  容器
１２  空間
１４  原子炉
１６  底面
１８  円周壁
１５  後解体領域
２０，２２，２４，２６，２８，３０，３２，３４  保持部材
３６，３８，４０  外套区域
４２  上側縁部
【図１】
2019168457.tif 000002
【図２】
2019168457.tif 000003
【図３】
2019168457.tif 000004
【図４】
2019168457.tif 000005
【図５】
2019168457.tif 000006
【図６】
2019168457.tif 000007
【図７】
2019168457.tif 000008
【外国語明細書】
2019168457000001.pdf